【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
細長い可撓性のカテーテル本体であって、近位端と遠位端とカテーテル本体を長手方向に通る内腔とを有するカテーテル本体と；
前記カテーテル本体の前記内腔を長手方向に通って延在する超音波伝達部材であって、前記超音波伝達部材は分離した超音波発生器に接続される近位端と前記カテーテル本体の遠位端で終端となる遠位端とを有し、前記超音波伝達部材の前記遠位端の少なくとも一部は前記カテーテル本体の前記内腔の外側に前記カテーテル本体の遠位端を越えて延在し、前記超音波伝達部材は接続手段を介して前記カテーテル本体に直接接続される、超音波伝達部材とを備える；
超音波カテーテル。
【請求項２】
前記接続手段は接着剤である；
請求項１に記載の超音波カテーテル。
【請求項３】
前記超音波伝達部材の前記遠位端は球根形状である；
請求項１に記載の超音波カテーテル。
【請求項４】
前記超音波伝達部材の前記遠位端は寸法段差を有する；
請求項１に記載の超音波カテーテル。
【請求項５】
前記接続手段は中間部材である；
請求項１に記載の超音波カテーテル。
【請求項６】
前記中間部材はチューブ形状をしている；
請求項５に記載の超音波カテーテル。
【請求項７】
前記接続手段は、一端が前記カテーテル本体に接続され、他端が前記超音波伝達部材に接続されるアンカーワイヤである；
請求項１に記載の超音波カテーテル。
【請求項８】
前記超音波伝達部材は、超弾性金属合金で形成される；
請求項１に記載の超音波カテーテル。
【請求項９】
前記超音波伝達部材の前記遠位端は遠位先端を有し、前記接続手段は前記遠位先端を前記カテーテル本体に接続する；
請求項１に記載の超音波カテーテル。
【請求項１０】
前記カテーテル本体の前記遠位端に位置し前記カテーテル本体とは分離しているキャップをさらに含み、前記キャップは前記超音波伝達部材の前記遠位端に固定される；
請求項１に記載の超音波カテーテル。
【請求項１１】
前記カテーテル本体の前記内腔内に少なくとも部分的に延在するガイドワイヤ内腔をさらに含む；
請求項１に記載の超音波カテーテル。
【請求項１２】
前記ガイドワイヤ内腔は、前記カテーテル本体の前記近位端より前記カテーテル本体の前記遠位端に近い位置のガイドワイヤポートに端がある；
請求項１１に記載の超音波カテーテル。
【請求項１３】
前記ガイドワイヤポートは、前記カテーテル本体の前記遠位端に近接して位置する；
請求項１２に記載の超音波カテーテル。
【請求項１４】
前記超音波伝達部材の前記遠位先端は、前記遠位先端の手前側である中間領域より大きな直径を有する；
請求項９に記載の超音波カテーテル。
【請求項１５】
前記ガイドワイヤ内腔は、前記内腔に伴って延在する；
請求項１１に記載の超音波カテーテル。
【請求項１６】
前記カテーテル本体の前記遠位端に位置し、前記内腔と連通する流体出口ポートをさらに含む；
請求項１に記載の超音波カテーテル。
【請求項１７】
前記超音波伝達部材は近位端から遠位端に徐々にテーパが付けられている；
請求項１に記載の超音波カテーテル。
【請求項１８】
前記超音波伝達部材は近位端に手元領域を有し、また、前記超音波伝達部材の前記近位端と遠位端の間に中間領域を有し、前記超音波伝達部材の前記遠位端は前記中間領域より大きな直径を有している；
請求項１に記載の超音波カテーテル。
【請求項１９】
前記超音波伝達部材は接続手段を介して前記カテーテル本体に動かないように接続される；
請求項１に記載の超音波カテーテル。
【請求項２０】
前記超音波伝達部材は接続手段を介して前記カテーテル本体に動けるように接続される；
請求項１に記載の超音波カテーテル。
【請求項２１】
前記中間部材は、前記超音波伝達部材と前記カテーテル本体とに接続される；
請求項５に記載の超音波カテーテル。
【請求項２２】
前記中間部材は、前記超音波伝達部材に接続されるが、前記カテーテル本体には接続されない；
請求項５に記載の超音波カテーテル。
【請求項２３】
細長い可撓性のカテーテル本体であって、近位端と遠位端とカテーテル本体を長手方向に通る内腔とを有するカテーテル本体と；
前記カテーテル本体の前記内腔を長手方向に通って延在する超音波伝達部材であって、前記超音波伝達部材は分離した超音波発生器に接続される近位端と前記カテーテル本体の遠位端で終端となる遠位端とを有し、前記超音波伝達部材は接続手段を介して前記カテーテル本体に直接接続される、超音波伝達部材と；
前記カテーテル本体の前記遠位端の遠位側に位置し、前記カテーテル本体とは分離しているキャップであって、前記キャップは前記超音波伝達部材の前記遠位端に固定される、キャップとを備える；
超音波カテーテル。
【請求項２４】
前記キャップは、前記カテーテル本体より大きな外径を有する；
請求項２３に記載の超音波カテーテル。
【請求項２５】
前記キャップは部分的に前記カテーテル本体の内側に位置する；
請求項２３に記載の超音波カテーテル。
【請求項２６】
細長い可撓性のカテーテル本体であって、近位端と遠位端とカテーテル本体を長手方向に通る内腔とを有するカテーテル本体と；
前記カテーテル本体の前記内腔を長手方向に通って延在する超音波伝達部材であって、前記超音波伝達部材は分離した超音波発生器に接続される近位端と前記カテーテル本体の遠位端で終端となる遠位端とを有し、前記超音波伝達部材の前記遠位端の少なくとも一部は前記カテーテル本体の内腔の外側に前記カテーテル本体の遠位端を越えて延在する、超音波伝達部材と；
前記超音波伝達部材の前記遠位端に接続されるキャップと；
前記キャップを前記カテーテル本体に接続する接続手段とを備える；
超音波カテーテル。
【請求項２７】
前記接続手段は、一端が前記カテーテル本体に接続し、他端が前記キャップに接続するアンカーワイヤである；
請求項２６に記載の超音波カテーテル。
【請求項２８】
血管中の組織を除去する方法であって：
ａ．細長い可撓性のカテーテル本体であって、近位端と遠位端とカテーテル本体を長手方向に通る内腔とを有するカテーテル本体と；
前記カテーテル本体の前記内腔を長手方向に通って延在する超音波伝達部材であって、前記超音波伝達部材は分離した超音波発生器に接続される近位端と前記カテーテル本体の遠位端で終端となる遠位端とを有し、前記超音波伝達部材の前記遠位端の少なくとも一部は前記カテーテル本体の内腔の外側に前記カテーテル本体の遠位端を越えて延在し、前記超音波伝達部材は前記カテーテル本体に直接動かないように接続される、超音波伝達部材とを備える；
超音波カテーテルを提供することと；
ｂ．前記超音波伝達部材の前記遠位端が前記組織に直接接触するようにすることとを備える；
方法。
【請求項２９】
前記超音波伝達部材を前記カテーテル本体に接続する中間部材を提供することをさらに備える；
請求項２８に記載の方法。
【請求項３０】
血管中の組織を除去する方法であって：
ａ．細長い可撓性のカテーテル本体であって、近位端と遠位端とカテーテル本体を長手方向に通る内腔とを有するカテーテル本体と；
前記カテーテル本体の前記内腔を長手方向に通って延在する超音波伝達部材であって、前記超音波伝達部材は分離した超音波発生器に接続される近位端と前記カテーテル本体の遠位端で終端となる遠位端とを有し、前記超音波伝達部材の前記遠位端の少なくとも一部は前記カテーテル本体の内腔の外側に前記カテーテル本体の遠位端を越えて延在し、前記超音波伝達部材は前記カテーテル本体に直接接続される、超音波伝達部材と；
前記カテーテル本体の前記遠位端の遠位側に位置し、前記カテーテル本体とは分離しているキャップであって、前記キャップは前記超音波伝達部材の前記遠位端に固定される、キャップとを備える；
超音波カテーテルを提供することと；
ｂ．前記キャップが前記組織に直接接触するようにすることとを備える；
方法。
【請求項３１】
前記超音波伝達部材を前記カテーテル本体に接続する中間部材を提供することをさらに備える；
請求項３０に記載の方法。